(57)【要約】【課題】ソース映像の個数及び表示画面の個数の任意の増加に対処する。【解決手段】映像信号合成回路１２−１〜１２−４は、複数の第１の入力映像信号を合成して第１の合成映像信号をそれぞれ生成する。映像信号合成回路１５−１〜１５−４は、映像信号合成回路１２−１〜１２−４のうちの１つによって生成された第１の合成映像信号と、少なくとも１つの第２の入力映像信号とを合成して第２の合成映像信号をそれぞれ生成する。操作信号入力回路１８は第１の合成映像信号のための操作信号を取得する。複数の映像信号合成回路１２−１〜１２−４のうちの各１つの映像信号合成回路は、複数の第１の入力映像信号の映像を一対一に含む複数のウィンドウを、予め決められた画素数の表示領域の内部に配置した映像を示す第１の合成映像信号を生成する。ここで、各ウィンドウは、操作信号に応じて制御可能な位置、形状、又は寸法をそれぞれ有する。【選択図】図１
2018064183.tif 000002
【特許請求の範囲】
【請求項１】
複数の第１の入力映像信号を合成して第１の合成映像信号をそれぞれ生成する複数の第１の映像信号合成回路と、
前記複数の第１の映像信号合成回路のうちの１つによって生成された前記第１の合成映像信号と、少なくとも１つの第２の入力映像信号とを合成して第２の合成映像信号をそれぞれ生成する複数の第２の映像信号合成回路と、
前記第１の合成映像信号のための操作信号を取得する操作信号入力回路とを備える映像信号処理装置であって、
前記複数の第１の映像信号合成回路のうちの各１つの第１の映像信号合成回路は、前記複数の第１の入力映像信号の映像を一対一に含む複数のウィンドウであって、前記操作信号に応じて制御可能な位置、形状、又は寸法をそれぞれ有する複数のウィンドウを、予め決められた画素数の表示領域の内部に配置した映像を示す第１の合成映像信号を生成する、
映像信号処理装置。
【請求項２】
前記映像信号処理装置は、
前記複数の第１の入力映像信号が入力される複数の第１の端子と、
前記複数の第２の入力映像信号が入力される複数の第２の端子と、
前記複数の第１の合成映像信号が出力される複数の第３の端子と、
前記複数の第２の合成映像信号が出力される複数の第４の端子とを備える、
請求項１記載の映像信号処理装置。
【請求項３】
前記映像信号処理装置は、前記複数の第１の入力映像信号が出力される複数の第５の端子を備える、
請求項２記載の映像信号処理装置。
【請求項４】
前記映像信号処理装置は、
前記複数の第１の入力映像信号が入力される複数の第１の端子と、
前記複数の第２の入力映像信号が入力される複数の第２の端子と、
前記複数の第１の合成映像信号又は前記複数の第１の入力映像信号が出力される複数の第３の端子と、
前記複数の第２の合成映像信号が出力される複数の第４の端子とを備える、
請求項１記載の映像信号処理装置。
【請求項５】
前記映像信号処理装置は、
前記複数の第１の入力映像信号が入力される複数の第１の端子と、
前記複数の第２の入力映像信号が入力されるか、又は、前記複数の第１の入力映像信号が出力される複数の第２の端子と、
前記複数の第１の合成映像信号が出力される複数の第３の端子と、
前記複数の第２の合成映像信号が出力される複数の第４の端子とを備える、
請求項１記載の映像信号処理装置。
【請求項６】
前記映像信号処理装置は、
前記複数の第１の入力映像信号が入力される複数の第１の端子と、
前記複数の第２の入力映像信号が入力されるか、又は、前記複数の第１の入力映像信号もしくは前記複数の第１の合成映像信号が出力される複数の第２の端子と、
前記複数の第２の合成映像信号が出力される複数の第３の端子とを備える、
請求項１記載の映像信号処理装置。
【請求項７】
請求項１記載の複数の映像信号処理装置を含む映像表示システムであって、
前記複数の映像信号処理装置は、複数のソース装置及び複数のディスプレイ装置に接続され、
前記複数のソース装置のうちの各１つのソース装置は、前記複数の映像信号処理装置のうちの１つに１つの第１の入力映像信号を入力し、
前記複数のディスプレイ装置のうちの各１つのディスプレイ装置は、前記複数の映像信号処理装置のうちの１つから出力された１つの第２の合成映像信号の映像を表示する、
映像表示システム。
【請求項８】
前記複数の映像信号処理装置のうちの各１つの映像信号処理装置において、
前記複数の第１の映像信号合成回路のうちの少なくとも１つに、前記複数のソース装置のうちの少なくとも１つから少なくとも１つの第１の入力映像信号が入力され、
前記複数の第１の映像信号合成回路のうちの少なくとも１つは、前記複数の映像信号処理装置のうちの他のすべての映像信号処理装置に前記第１の合成映像信号を出力し、
前記複数の第２の映像信号合成回路のうちの少なくとも１つに、前記複数の映像信号処理装置のうちの他のすべての映像信号処理装置からそれぞれ出力された前記第１の合成映像信号が前記第２の入力映像信号として入力され、
前記複数の第２の映像信号合成回路のうちの少なくとも１つは、前記複数のディスプレイ装置のうちの少なくとも１つに前記第２の合成映像信号を出力する、
請求項７記載の映像表示システム。
【請求項９】
前記複数の映像信号処理装置のうちの各１つの映像信号処理装置において、
前記１つの映像信号処理装置の前記操作信号入力回路は、前記１つの映像信号処理装置の前記第１の映像信号合成回路によって生成される前記第１の合成映像信号の映像における前記少なくとも１つのウィンドウを制御する第１の操作信号と、前記複数の映像信号処理装置のうちの少なくとも１つの他の映像信号処理装置の前記第１の映像信号合成回路によって生成される前記第１の合成映像信号の映像における前記少なくとも１つのウィンドウを制御する第２の操作信号とを取得し、前記第１の操作信号を前記１つの映像信号処理装置の前記複数の第１の映像信号合成回路に送り、前記第２の操作信号を前記他の映像信号処理装置に送り、
前記複数の第１の映像信号合成回路のうちの各１つの第１の映像信号合成回路は、前記操作信号入力回路によって取得された前記第１の操作信号と、前記複数の映像信号処理装置のうちの少なくとも１つの他の映像信号処理装置から送られた前記第２の操作信号とに基づいて、前記少なくとも１つのウィンドウの位置、形状、又は寸法を制御して前記第１の合成映像信号を生成する、
請求項８記載の映像表示システム。
【請求項１０】
前記複数の映像信号処理装置のうちの各１つの映像信号処理装置において、前記複数の第１の映像信号合成回路のうちの各１つの第１の映像信号合成回路に、前記複数のソース装置のうちの少なくとも１つから少なくとも１つの第１の入力映像信号が入力され、
前記複数の映像信号処理装置のうちの１つの第１の映像信号処理装置において、前記複数の第２の映像信号合成回路は、前記複数のディスプレイ装置に前記第２の合成映像信号をそれぞれ出力し、
前記複数の映像信号処理装置のうちの、前記第１の映像信号処理装置以外の各１つの映像信号処理装置において、前記複数の第２の映像信号合成回路は、前記複数の映像信号処理装置のうちの他の１つの映像信号処理装置に前記第２の合成映像信号をそれぞれ出力する、
請求項７記載の映像表示システム。
【請求項１１】
前記複数の映像信号処理装置のうちの各１つの映像信号処理装置は、入力される前記複数の第１の入力映像信号を出力し、
前記複数の映像信号処理装置のうちの１つの第２の映像信号処理装置において、前記複数の第１の映像信号合成回路のうちの少なくとも１つに、前記複数のソース装置から前記複数の第１の入力映像信号が入力され、
前記複数の映像信号処理装置のうちの、前記第２の映像信号処理装置以外の各１つの映像信号処理装置において、前記複数の第１の映像信号合成回路のうちの少なくとも１つに、前記複数の映像信号処理装置のうちの他の１つの映像信号処理装置から出力された前記複数の第１の入力映像信号が入力され、
前記複数の映像信号処理装置のうちの各１つの映像信号処理装置において、前記複数の第２の映像信号合成回路のうちの少なくとも１つは、前記複数のディスプレイ装置のうちの少なくとも１つに前記第２の合成映像信号を出力する、
請求項３〜６のうちの１つに従属する請求項７記載の映像表示システム。
【発明の詳細な説明】
【技術分野】
【０００１】
本開示は、Ｂｌｕ−ｒａｙ（登録商標）ディスクプレーヤ等の複数のソース装置等から入力された複数の映像信号の映像（ソース映像）を合成して少なくとも１つのディスプレイ装置に出力する映像信号処理装置に関する。本開示はまた、そのような複数の映像信号処理装置を含む映像表示システムに関する。
【背景技術】
【０００２】
近年、ディスプレイ装置の画素数が増大し、１つのディスプレイ装置に多くの情報を表示できるようになってきている。このため、複数のソース装置から複数の映像信号を受信して（多入力）、これらの映像信号の映像にそれぞれ対応する複数のウィンドウを１つのディスプレイ装置の表示画面に表示する、いわゆるマルチウィンドウ表示が行われることがある。さらに、複数のディスプレイ装置（多出力）を用いてマルチウィンドウ表示を行うことで、より多くの情報を表示することができる。
【０００３】
特許文献１は、システム構成に応じてウィンドウの個数を容易に変更できる映像信号処理装置及び表示装置を開示している。
【０００４】
特許文献１の映像信号処理装置は２つの入力端子を有する。映像信号処理装置は、一方の入力端子から入力される映像信号に基づく表示画像の画サイズを変更する。さらに、映像信号処理装置は、変更された画サイズを有する映像信号と、他方の入力端子から入力される映像信号（例えば、他の映像信号処理装置によって変更された画サイズを有する映像信号）とを合成する。これにより、映像信号の入力数に対応した数の映像信号処理装置をカスケード接続し、マルチウィンドウを実現するシステムを構築できる。
【先行技術文献】
【特許文献】
【０００５】
【特許文献１】特開２００７−３３４０７１号公報
【発明の概要】
【発明が解決しようとする課題】
【０００６】
特許文献１の映像信号処理装置では、映像信号処理装置をカスケード接続することにより、入力される映像信号の個数を増やすことはできるが、ディスプレイ装置（すなわち表示画面）の個数を増やすことが困難である。
【０００７】
本開示は、ソース映像の個数及び表示画面の個数の任意の増加に対処できる映像信号処理装置を提供する。本開示はまた、そのような映像信号処理装置を含む映像表示システムを提供する。
【課題を解決するための手段】
【０００８】
本開示の一態様に係る映像信号処理装置は、複数の第１の映像信号合成回路と、複数の第２の映像信号合成回路と、操作信号入力回路とを備える。複数の第１の映像信号合成回路は、複数の第１の入力映像信号を合成して第１の合成映像信号をそれぞれ生成する。複数の第２の映像信号合成回路は、複数の第１の映像信号合成回路のうちの１つによって生成された第１の合成映像信号と、少なくとも１つの第２の入力映像信号とを合成して第２の合成映像信号をそれぞれ生成する。操作信号入力回路は、第１の合成映像信号のための操作信号を取得する。複数の第１の映像信号合成回路のうちの各１つの第１の映像信号合成回路は、複数の第１の入力映像信号の映像を一対一に含む複数のウィンドウを、予め決められた画素数の表示領域の内部に配置した映像を示す第１の合成映像信号を生成する。各ウィンドウは、操作信号に応じて制御可能な位置、形状、又は寸法をそれぞれ有する。
【発明の効果】
【０００９】
本開示の一態様に係る映像信号処理装置は、ソース映像の個数及び表示画面の個数の任意の増加に対処できる。
【図面の簡単な説明】
【００１０】
【図１】実施形態１に係る映像信号処理装置１００の構成を示すブロック図である。
【図２】実施形態１に係る映像表示システムの構成及び動作を示す概略図である。
【図３】実施形態２に係る映像表示システムの構成及び動作を示す概略図である。
【図４】実施形態３に係る映像信号処理装置１００Ａの構成を示すブロック図である。
【図５】実施形態３に係る映像表示システムの構成及び動作を示す概略図である。
【図６】実施形態３の第１の変形例に係る映像信号処理装置１００Ｂの構成を示すブロック図である。
【図７】実施形態３の第２の変形例に係る映像信号処理装置１００Ｃの構成を示すブロック図である。
【図８】実施形態３の第３の変形例に係る映像信号処理装置１００Ｄの構成を示すブロック図である。
【発明を実施するための形態】
【００１１】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者（ら）は、当業者が本開示を十分に理解するために添付図面及び以下の説明を提供するのであって、これらによって特許請求の範囲に記載の主題を限定することを意図するものではない。
【００１３】
（実施形態１）
以下、図１〜図２を参照して、実施形態１に係る映像信号処理装置及び映像表示システムについて説明する。
【００１４】
［１−１．構成］
［１−１−１．映像信号処理装置の構成］
図１は、実施形態１に係る映像信号処理装置１００の構成を示すブロック図である。映像信号処理装置１００は、少なくとも１つのソース装置及び少なくとも１つの他の映像信号処理装置から入力された複数の入力映像信号の映像を合成して少なくとも１つのディスプレイ装置に出力する。
【００１５】
映像信号処理装置１００は、受信回路１１−１〜１１−４、映像信号合成回路１２−１〜１２−４、受信回路１３−１〜１３−４、送信回路１４−１〜１４−４、映像信号合成回路１５−１〜１５−４、送信回路１６−１〜１６−４、操作信号分配回路１７、及び操作信号入力回路１８を備える。映像信号処理装置１００は、さらに、入力端子１ａ〜１ｄ、入力端子２ａ〜２ｄ、出力端子３ａ〜３ｄ、及び出力端子４ａ〜４ｄを備える。本明細書では、入力端子１ａ〜１ｄを「第１の端子」ともいい、入力端子２ａ〜２ｄを「第２の端子」ともいい、出力端子３ａ〜３ｄを「第３の端子」ともいい、出力端子４ａ〜４ｄを「第４の端子」ともいう。
【００１６】
入力端子１ａ〜１ｄのうちの少なくとも１つは、ソース映像の映像信号を映像信号処理装置１００に供給するソース装置にそれぞれ接続される。各ソース装置と各入力端子１ａ〜１ｄとは、ＨＤＭＩ（登録商標）、ＳＤＩ（Serial Digital Interface）、ＨＤ−ｂａｓｅＴなどのインターフェースによって互いに接続される。受信回路１１−１〜１１−４のそれぞれは、入力端子１ａ〜１ｄのうちの１つから入力された映像信号を、映像信号処理装置１００における内部処理のために変換し、すべての映像信号合成回路１２−１〜１２−４に送る。本明細書では、入力端子１ａ〜１ｄのうちの１つから入力されて映像信号合成回路１２−１〜１２−４に入力される映像信号を、「第１の入力映像信号」ともいう。
【００１７】
映像信号合成回路１２−１〜１２−４のそれぞれは、複数の第１の入力映像信号を合成して第１の合成映像信号をそれぞれ生成する。複数の映像信号合成回路１２−１〜１２−４のそれぞれは、複数の第１の入力映像信号の映像を一対一に含む複数のウィンドウを、予め決められた画素数の表示領域の内部に配置した映像を示す第１の合成映像信号を生成する。各ウィンドウは、操作信号入力回路１８で取得された操作信号（後述）と、他の映像信号処理装置から送られた操作信号（後述）とに応じて、制御可能な位置、形状、寸法、回転角度、又は重なりの順序を有する。第１の合成映像信号の映像の表示領域は、例えば、映像信号処理装置１００に接続されるディスプレイ装置の表示領域の画素数に等しい画素数を有する。映像信号合成回路１２−１〜１２−４のそれぞれは、プロセッサ及びフレームメモリなどを備える。映像信号合成回路１２−１〜１２−４のそれぞれは、そのフレームメモリ上で、入力された少なくとも１つの映像信号の映像を含む少なくとも１つのウィンドウの位置、形状、寸法、回転角度、又は重なりの順序を制御し、当該ウィンドウを含む映像を示す第１の合成映像信号を生成する。映像信号合成回路１２−１〜１２−４のそれぞれは、複数の映像信号が入力される場合には、入力された複数の映像信号のうちの１つの同期信号に同期して、そのフレームメモリへの映像信号の書き込み及び読み出しを制御する。映像信号合成回路１２−１〜１２−４のそれぞれは、第１の合成映像信号を映像信号合成回路１５−１〜１５−４のうちの１つに送り、さらに、第１の合成映像信号を送信回路１４−１〜１４−４のうちの１つに送る。本明細書では、映像信号合成回路１２−１〜１２−４を「第１の映像信号合成回路」ともいう。
【００１８】
送信回路１４−１〜１４−４のそれぞれは、映像信号合成回路１２−１〜１２−４のうちの１つから入力された第１の合成映像信号を、他の映像信号処理装置への送信のために変換し、出力端子３ａ〜３ｄのうちの１つから他の映像信号処理装置へ出力する。各出力端子３ａ〜３ｄと他の映像信号処理装置とは、ＨＤＭＩ、ＳＤＩ、ＨＤ−ｂａｓｅＴなどのインターフェースによって互いに接続される。
【００１９】
入力端子２ａ〜２ｄのうちの少なくとも１つは、他の映像信号処理装置にそれぞれ接続され、当該他の映像信号処理装置によって生成された映像信号を受ける。入力端子２ａ〜２ｄに入力される映像信号は、例えば、他の映像信号処理装置によって生成された第１の合成映像信号である。他の映像信号処理装置と各入力端子２ａ〜２ｄとは、ＨＤＭＩ、ＳＤＩ、ＨＤ−ｂａｓｅＴなどのインターフェースによって互いに接続される。受信回路１３−１〜１３−４のそれぞれは、入力端子２ａ〜２ｄのうちの１つから入力された映像信号を、映像信号処理装置１００における内部処理のために変換し、映像信号合成回路１５−１〜１５−４のうちの少なくとも１つに送る。図１の例では、受信回路１３−１〜１３−４のそれぞれは、変換後の映像信号をすべての映像信号合成回路１５−１〜１５−４に送る。本明細書では、入力端子２ａ〜２ｄのうちの１つから入力されて映像信号合成回路１５−１〜１５−４に入力される映像信号を、「第２の入力映像信号」ともいう。
【００２０】
映像信号合成回路１５−１〜１５−４のそれぞれは、映像信号合成回路１２−１〜１２−４のうちの１つによって生成された第１の合成映像信号の映像と、少なくとも１つの第２の入力映像信号の映像とを互いに合成した映像を示す第２の合成映像信号を生成する。映像信号合成回路１５−１〜１５−４のそれぞれは、プロセッサ及びフレームメモリなどを備える。映像信号合成回路１５−１〜１５−４のそれぞれは、そのフレームメモリ上で、入力された複数の映像信号の映像を互いに重畳して第２の合成映像信号を生成する。映像信号合成回路１５−１〜１５−４のそれぞれは、入力された複数の映像信号のうちの１つの同期信号に同期して、そのフレームメモリへの映像信号の書き込み及び読み出しを制御する。映像信号合成回路１５−１〜１５−４のそれぞれは、第２の合成映像信号を送信回路１６−１〜１６−４のうちの１つに送る。本明細書では、映像信号合成回路１５−１〜１５−４を「第２の映像信号合成回路」ともいう。
【００２１】
出力端子４ａ〜４ｄは、映像信号合成回路１５−１〜１５−４のうちの１つから入力された第２の合成映像信号を、ディスプレイ装置への送信のために変換し、出力端子４ａ〜４ｄのうちの１つからディスプレイ装置へ出力する。各出力端子４ａ〜４ｄとディスプレイ装置とは、ＨＤＭＩ、ＳＤＩ、ＨＤ−ｂａｓｅＴなどのインターフェースによって互いに接続される。
【００２２】
操作信号入力回路１８は、外部制御装置から操作信号を取得する。操作信号入力回路１８によって取得される操作信号は、映像信号処理装置１００自体のための第１の操作信号と、他の映像信号処理装置のための第２の操作信号とを含む。第１の操作信号は、映像信号処理装置１００自体の映像信号合成回路１２−１〜１２−４によって生成される第１の合成映像信号の映像における少なくとも１つのウィンドウを制御するために使用される。第２の操作信号は、少なくとも１つの他の映像信号処理装置の映像信号合成回路１２−１〜１２−４によって生成される第１の合成映像信号の映像における少なくとも１つのウィンドウを制御するために使用される。
【００２３】
映像信号合成回路１２−１〜１２−４のそれぞれは、第１の合成映像信号の映像に含まれるウィンドウを外部制御装置から操作できるようにするために、第１の合成映像信号とともに、その付随情報を取得する。第１の合成映像信号の付随情報は、第１の合成映像信号の映像に含まれる各ウィンドウの位置、形状、寸法、回転角度、又は重なりの順序などを含む。映像信号合成回路１２−１〜１２−４のそれぞれは、第１の合成映像信号の付随情報を、操作信号分配回路１７及び操作信号入力回路１８を介して外部制御装置に送る。外部制御装置は、第１の合成映像信号の付随情報に基づいて、第１の合成映像信号の映像に含まれる各ウィンドウを認識し、ユーザ操作に応じて第１の操作信号を生成する。
【００２４】
映像信号合成回路１２−１〜１２−４のそれぞれは、第１の合成映像信号の映像に含まれるウィンドウを他の映像信号処理装置から操作できるようにするために、第１の合成映像信号の付随情報を送信回路１４−１〜１４−４のうちの１つに送る。送信回路１４−１〜１４−４は、第１の合成映像信号に重畳させてその付随情報を他の映像信号処理装置に送る。
【００２５】
一方、入力端子２ａ〜２ｄに他の映像信号処理装置によって生成される第１の合成映像信号が入力される場合、他の映像信号処理装置によって生成される第１の合成映像信号の映像に含まれるウィンドウを映像信号処理装置１００から操作できるようにする。このため、受信回路１３−１〜１３−４のそれぞれは、他の映像信号処理装置から送られた第１の合成映像信号からその付随情報を分離して抽出し、付随情報を、操作信号分配回路１７及び操作信号入力回路１８を介して外部制御装置に送る。外部制御装置は、第１の合成映像信号の付随情報に基づいて、他の映像信号処理装置から送られた第１の合成映像信号の映像に含まれる各ウィンドウを認識し、ユーザ操作に応じて第２の操作信号を生成する。
【００２６】
操作信号入力回路１８は、第１の操作信号を映像信号処理装置１００自体の映像信号合成回路１２−１〜１２−４に送り、第２の操作信号を他の映像信号処理装置に送る。このため、操作信号入力回路１８は第１の操作信号を操作信号分配回路１７に送る。また、操作信号入力回路１８は第２の操作信号を送信回路１４−１〜１４−４に送り、送信回路１４−１〜１４−４は、第２の操作信号を第１の合成映像信号と重畳して出力端子３ａ〜３ｄから他の映像信号処理装置へ出力する。
【００２７】
操作信号分配回路１７は、他の映像信号処理装置から送られた第２の操作信号を取得する。この操作信号は、他の映像信号処理装置で取得された映像信号処理装置１００のための操作信号である。言い換えると、これは、映像信号処理装置１００の映像信号合成回路１２−１〜１２−４によって生成される第１の合成映像信号の映像における少なくとも１つのウィンドウを制御するために使用される操作信号である。他の映像信号処理装置から送られる第２の操作信号は、例えば、他の映像信号処理装置から送られる第１の合成映像信号と重畳して伝送される。このため、受信回路１３−１〜１３−４は、他の映像信号処理装置から送られた第２の操作信号を、他の映像信号処理装置から送られた第１の合成映像信号から分離して抽出し、操作信号分配回路１７に送る。
【００２８】
操作信号分配回路１７は、映像信号処理装置１００自体の操作信号入力回路１８によって取得された第１の操作信号と、他の映像信号処理装置から送られた第２の操作信号とに基づいて、映像信号合成回路１２−１〜１２−４を制御する。映像信号合成回路１２−１〜１２−４のそれぞれは、操作信号分配回路１７から送られる操作信号の制御下で、少なくとも１つのウィンドウの位置、形状、寸法、回転角度、又は重なりの順序を制御して第１の合成映像信号を生成する。
【００２９】
以上に説明したように、映像信号処理装置１００は、操作信号により制御可能である映像信号合成回路１２−１〜１２−４と、操作信号の制御対象ではない映像信号合成回路１５−１〜１５−４とを備える。映像信号合成回路１２−１〜１２−４のそれぞれは、操作信号の制御下で、入力端子１ａ〜１ｄから入力された映像信号から第１の合成映像信号を生成する。映像信号合成回路１２−１〜１２−４のそれぞれは、第１の合成映像信号を映像信号合成回路１５−１〜１５−４のうちの１つに送るとともに、第１の合成映像信号を出力端子３ａ〜３ｄのうちの１つから出力する。映像信号合成回路１５−１〜１５−４のそれぞれは、映像信号合成回路１２−１〜１２−４のうちの１つによって生成された第１の合成映像信号の映像と、入力端子２ａ〜２ｄのうちの少なくとも１つから入力された少なくとも１つの映像信号の映像とから第２の合成映像信号を生成する。映像信号合成回路１５−１〜１５−４のそれぞれは、第２の合成映像信号を出力端子４ａ〜４ｄのうちの１つから出力する。
【００３０】
［１−１−２．映像表示システムの構成］
図２は、実施形態１に係る映像表示システムの構成及び動作を示す概略図である。図２の映像表示システムは、映像信号処理装置１００−１〜１００−３、ソース装置１１０−１，１１０−２，１１０−５，１１０−９，１１０−１０、外部制御装置１２０−１〜１２０−３、及びディスプレイ装置１３０−１，１３０−５，１３０−９を備える。
【００３１】
映像信号処理装置１００−１〜１００−３のそれぞれは、図１の映像信号処理装置１００と同様に構成される。
【００３２】
ソース装置１１０−１，１１０−２，１１０−５，１１０−９，１１０−１０のそれぞれは、例えば、Ｂｌｕ−ｒａｙディスクプレーヤ、ハードディスクレコーダ、チューナなどである。ソース装置１１０−１，１１０−２，１１０−５，１１０−９，１１０−１０のそれぞれは、映像信号処理装置１００−１〜１００−３のうちの１つにおける入力端子１ａ〜１ｄのうちの１つにソース映像の映像信号を入力する。
【００３３】
外部制御装置１２０−１〜１２０−３のそれぞれは、例えば、パーソナルコンピュータ、スマートホン、タブレット端末装置などである。外部制御装置１２０−１〜１２０−３のそれぞれは、ユーザによって入力された操作信号を、映像信号処理装置１００−１〜１００−３のうちの１つにおける操作信号入力回路１８に送る。
【００３４】
ディスプレイ装置１３０−１，１３０−５，１３０−９のそれぞれは、例えば、液晶ディスプレイ及びプラズマディスプレイなどのフラットパネルディスプレイ装置であってもよく、投射型ディスプレイなどの他のディスプレイ装置であってもよい。ディスプレイ装置１３０−１，１３０−５，１３０−９のそれぞれは、映像信号処理装置１００−１〜１００−３のうちの１つにおける出力端子４ａ〜４ｄのうちの１つから出力された第２の合成映像信号の映像を表示する。
【００３５】
映像信号処理装置１００−１〜１００−３のそれぞれにおける入力端子１ａ〜１ｄのうちの少なくとも１つは、ソース装置１１０−１，１１０−２，１１０−５，１１０−９，１１０−１０のうちの少なくとも１つに接続される。図２の例では、映像信号処理装置１００−１の入力端子１ａ，１ｂがソース装置１１０−１，１１０−２にそれぞれ接続される。ソース装置１１０−１，１１０−２は、映像Ａ１，Ａ２の映像信号を映像信号処理装置１００−１の入力端子１ａ，１ｂにそれぞれ入力する。また、映像信号処理装置１００−２の入力端子１ａがソース装置１１０−５に接続される。ソース装置１１０−５は、映像Ｂ１の映像信号を映像信号処理装置１００−２の入力端子１ａに入力する。また、映像信号処理装置１００−３の入力端子１ａ，１ｂがソース装置１１０−９，１１０−１０にそれぞれ接続される。ソース装置１１０−９，１１０−１０は、映像Ｃ１，Ｃ２の映像信号を映像信号処理装置１００−３の入力端子１ａ，１ｂにそれぞれ入力する。
【００３６】
映像信号処理装置１００−１〜１００−３は、映像信号処理装置１００−１〜１００−３のそれぞれにおける出力端子３ａ〜３ｄを映像信号処理装置１００−１〜１００−３のうちの他のすべてにおける入力端子２ａ〜２ｄに接続することにより、互いに接続される。図２の例では、映像信号処理装置１００−１における出力端子３ａが、映像信号処理装置１００−２における入力端子２ａ及び映像信号処理装置１００−３における入力端子２ａに接続される。また、映像信号処理装置１００−２における出力端子３ａが、映像信号処理装置１００−１における入力端子２ａ及び映像信号処理装置１００−３における入力端子２ｂに接続される。また、映像信号処理装置１００−３における出力端子３ａが、映像信号処理装置１００−１における入力端子２ｂ及び映像信号処理装置１００−２における入力端子２ｂに接続される。
【００３７】
映像信号処理装置１００−１〜１００−３のそれぞれにおける出力端子４ａ〜４ｄのうちの少なくとも１つは、複数のディスプレイ装置のうちの少なくとも１つに接続される。図２の例では、映像信号処理装置１００−１の出力端子４ａがディスプレイ装置１３０−１に接続される。また、映像信号処理装置１００−２の出力端子４ａがディスプレイ装置１３０−５に接続される。また、映像信号処理装置１００−３の出力端子４ａがディスプレイ装置１３０−９に接続される。
【００３８】
実施形態１に係る映像表示システムにおいて、複数のディスプレイ装置１３０−１，１３０−５，１３０−９は、地理的に異なる場所（異なる部屋、異なる建物、など）に設けられてもよい。この場合、映像信号処理装置１００−１、ソース装置１１０−１，１１０−２、及び外部制御装置１２０−１は、ディスプレイ装置１３０−１の場所に設けられてもよい。また、映像信号処理装置１００−２、ソース装置１１０−５、及び外部制御装置１２０−２は、ディスプレイ装置１３０−５の場所に設けられてもよい。また、映像信号処理装置１００−３、ソース装置１１０−９，１１０−１０、及び外部制御装置１２０−３は、ディスプレイ装置１３０−９の場所に設けられてもよい。この場合、映像信号処理装置１００−１のユーザ、映像信号処理装置１００−２のユーザ、及び映像信号処理装置１００−３のユーザは、地理的に異なる場所に存在する。
【００３９】
［１−２．映像表示システムの動作］
映像信号処理装置１００−１のユーザは、外部制御装置１２０−１を用いて、映像信号処理装置１００−１〜１００−３のための操作信号を映像信号処理装置１００−１に入力する。映像信号処理装置１００−２のユーザは、外部制御装置１２０−２を用いて、映像信号処理装置１００−１〜１００−３のための操作信号を映像信号処理装置１００−２に入力する。映像信号処理装置１００−３のユーザは、外部制御装置１２０−３を用いて、映像信号処理装置１００−１〜１００−３のための操作信号を映像信号処理装置１００−３に入力する。映像信号処理装置１００−１は、映像信号処理装置１００−２，１００−３のための操作信号を映像信号処理装置１００−２，１００−３に送る。映像信号処理装置１００−２は、映像信号処理装置１００−１，１００−３のための操作信号を映像信号処理装置１００−１，１００−３に送る。映像信号処理装置１００−３は、映像信号処理装置１００−１，１００−２のための操作信号を映像信号処理装置１００−１，１００−２に送る。
【００４０】
映像信号処理装置１００−１の映像信号合成回路１２−１は、映像Ａ１，Ａ２をそれぞれ含む２つのウィンドウを表示領域の内部に配置した映像を示す第１の合成映像信号を生成する。映像信号処理装置１００−１の映像信号合成回路１２−１は、外部制御装置１２０−１から入力された映像信号処理装置１００−１のための操作信号に応じて、各ウィンドウの位置、形状、寸法、回転角度、又は重なりの順序を制御する。さらに、映像信号処理装置１００−１の映像信号合成回路１２−１は、映像信号処理装置１００−２，１００−３から送られた映像信号処理装置１００−１のための操作信号に応じて、各ウィンドウの位置、形状、寸法、回転角度、又は重なりの順序を制御する。映像信号処理装置１００−１において、映像信号合成回路１２−１は、第１の合成映像信号を映像信号合成回路１５−１に送り、さらに、第１の合成映像信号を映像信号処理装置１００−２，１００−３に送る。
【００４１】
映像信号処理装置１００−２の映像信号合成回路１２−１は、映像Ｂ１を含む１つのウィンドウを表示領域の内部に配置した映像を示す第１の合成映像信号を生成する。映像信号処理装置１００−２の映像信号合成回路１２−１は、外部制御装置１２０−２から入力された映像信号処理装置１００−２のための操作信号に応じて、各ウィンドウの位置、形状、寸法、回転角度、又は重なりの順序を制御する。さらに、映像信号処理装置１００−２の映像信号合成回路１２−１は、映像信号処理装置１００−１，１００−３から送られた映像信号処理装置１００−２のための操作信号に応じて、各ウィンドウの位置、形状、寸法、回転角度、又は重なりの順序を制御する。映像信号処理装置１００−２において、映像信号合成回路１２−１は、第１の合成映像信号を映像信号合成回路１５−１に送り、さらに、第１の合成映像信号を映像信号処理装置１００−１，１００−３に送る。
【００４２】
映像信号処理装置１００−３の映像信号合成回路１２−１は、映像Ｃ１，Ｃ２をそれぞれ含む２つのウィンドウを表示領域の内部に配置した映像を示す第１の合成映像信号を生成する。映像信号処理装置１００−３の映像信号合成回路１２−１は、外部制御装置１２０−３からに入力された映像信号処理装置１００−３のための操作信号に応じて、各ウィンドウの位置、形状、寸法、回転角度、又は重なりの順序を制御する。さらに、映像信号処理装置１００−３の映像信号合成回路１２−１は、映像信号処理装置１００−１，１００−２から送られた映像信号処理装置１００−３のための操作信号に応じて、各ウィンドウの位置、形状、寸法、回転角度、又は重なりの順序を制御する。映像信号処理装置１００−３において、映像信号合成回路１２−１は、第１の合成映像信号を映像信号合成回路１５−１に送り、さらに、第１の合成映像信号を映像信号処理装置１００−１，１００−２に送る。
【００４３】
映像信号処理装置１００−１において、映像信号合成回路１５−１は、映像信号合成回路１２−１によって生成された第１の合成映像信号の映像と、映像信号処理装置１００−２，１００−３から送られた第１の合成映像信号の映像とを互いに合成した映像を示す第２の合成映像信号を生成する。映像信号処理装置１００−１の映像信号合成回路１５−１は、第２の合成映像信号をディスプレイ装置１３０−１に出力する。
【００４４】
映像信号処理装置１００−２において、映像信号合成回路１５−１は、映像信号合成回路１２−１によって生成された第１の合成映像信号の映像と、映像信号処理装置１００−１，１００−３から送られた第１の合成映像信号の映像とを互いに合成した映像を示す第２の合成映像信号を生成する。映像信号処理装置１００−２の映像信号合成回路１５−１は、第２の合成映像信号をディスプレイ装置１３０−５に出力する。
【００４５】
映像信号処理装置１００−３において、映像信号合成回路１５−１は、映像信号合成回路１２−１によって生成された第１の合成映像信号の映像と、映像信号処理装置１００−１，１００−２から送られた第１の合成映像信号の映像とを互いに合成した映像を示す第２の合成映像信号を生成する。映像信号処理装置１００−３の映像信号合成回路１５−１は、第２の合成映像信号をディスプレイ装置１３０−９に出力する。
【００４６】
これにより、ディスプレイ装置１３０−１，１３０−５，１３０−９は、同じ第２の合成映像信号の映像を表示することができる。
【００４７】
図２の映像表示システムによれば、映像信号処理装置１００−１〜１００−３のそれぞれは、ソース装置から当該映像信号処理装置に入力された映像信号から第１の合成映像信号を生成し、生成した第１の合成映像信号を他の映像信号処理装置に送る。従って、映像信号処理装置１００−１〜１００−３のそれぞれは、ソース装置から当該映像信号処理装置に入力された映像信号の映像を含む個別のウィンドウの内容を他の映像信号処理装置に送らない。さらに、映像信号処理装置１００−１〜１００−３のそれぞれは、他の映像信号処理装置によって生成された第１の合成映像信号の映像に含まれるウィンドウを制御するために使用される第２の操作信号を、他の映像信号処理装置に送る。映像信号処理装置１００−１〜１００−３のそれぞれは、それ自体によって生成される第１の合成映像信号の映像に含まれるウィンドウのみを制御し、他の映像信号処理装置によって生成される第１の合成映像信号の映像に含まれるウィンドウを直接には制御しない。映像信号処理装置１００−１〜１００−３は、第１の合成映像信号を互いに交換し、第２の操作信号を互いに交換することにより、同じ第２の合成映像信号を生成する。
【００４８】
例えば、映像信号処理装置１００−１のユーザが、映像Ｂ１を含むウィンドウを制御するために使用される第２の操作信号を外部制御装置１２０−１を用いて映像信号処理装置１００−１に入力する場合を考える。映像信号処理装置１００−１は第２の操作信号を映像信号処理装置１００−２に送り、映像信号処理装置１００−２は、映像信号処理装置１００−１からの第２の操作信号に応じて、映像Ｂ１を含むウィンドウを制御する。映像信号処理装置１００−２は、映像Ｂ１を含むウィンドウの重なりの順序を最前面の順序に変化させて第１の合成映像信号を生成し、これにより、映像Ｂ１を含むウィンドウはアクティブになる。映像信号処理装置１００−２は、第１の合成映像信号とウィンドウの順序の情報とを、映像信号処理装置１００−１，１００−３に送る。映像信号処理装置１００−１〜１００−３は、映像Ｂ１を含むウィンドウを最前面に表示した映像を示す第２の合成映像信号をそれぞれ生成し、ディスプレイ装置１３０−１，１３０−５，１３０−９にそれぞれ表示する。このように、映像信号処理装置１００−１〜１００−３は、ウィンドウの内容（映像）とウィンドウを制御するための情報とを共有することができる。
【００４９】
［１−３．効果等］
実施形態１に係る映像信号処理装置１００−１〜１００−３は、複数の映像信号合成回路１２−１〜１２−４と、複数の映像信号合成回路１５−１〜１５−４と、操作信号入力回路１８とを備える。複数の映像信号合成回路１２−１〜１２−４は、複数の第１の入力映像信号を合成して第１の合成映像信号をそれぞれ生成する。複数の映像信号合成回路１５−１〜１５−４は、複数の映像信号合成回路１２−１〜１２−４のうちの１つによって生成された第１の合成映像信号と、少なくとも１つの第２の入力映像信号とを合成して第２の合成映像信号をそれぞれ生成する。操作信号入力回路１８は、第１の合成映像信号のための操作信号を取得する。複数の映像信号合成回路１２−１〜１２−４のうちの各１つの映像信号合成回路は、複数の第１の入力映像信号の映像を一対一に含む複数のウィンドウを、予め決められた画素数の表示領域の内部に配置した映像を示す第１の合成映像信号を生成する。ここで、各ウィンドウは、操作信号に応じて制御可能な位置、形状、又は寸法をそれぞれ有する。
【００５０】
実施形態１に係る映像信号処理装置１００−１〜１００−３は、複数の第１の入力映像信号が入力される複数の第１の端子と、複数の第２の入力映像信号が入力される複数の第２の端子と、複数の第１の合成映像信号が出力される複数の第３の端子と、複数の第２の合成映像信号が出力される複数の第４の端子とを備える。
【００５１】
実施形態１に係る映像表示システムは、複数の映像信号処理装置１００−１〜１００−３を含む。複数の映像信号処理装置１００−１〜１００−３は、複数のソース装置１１０−１，１１０−２，１１０−５，１１０−９，１１０−１０及び複数のディスプレイ装置１３０−１，１３０−５，１３０−９に接続される。複数のソース装置１１０−１，１１０−２，１１０−５，１１０−９，１１０−１０のうちの各１つのソース装置は、複数の映像信号処理装置１００−１〜１００−３のうちの１つに１つの第１の入力映像信号を入力する。複数のディスプレイ装置１３０−１，１３０−５，１３０−９のうちの各１つのディスプレイ装置は、複数の映像信号処理装置１００−１〜１００−３のうちの１つから出力された１つの第２の合成映像信号の映像を表示する。
【００５２】
これにより、実施形態１に係る映像信号処理装置及び映像表示システムは、ソース映像の個数及び表示画面の個数の任意の増加に対処できる。複数の映像信号処理装置のそれぞれは、第１の入力映像信号のみを処理するので、各映像信号処理装置のメモリ帯域を増やすことなく、ソース映像の個数または表示画面の個数を増加させることができる。
【００５３】
本明細書では、ソース装置及びディスプレイ装置を除く、映像信号処理装置１００−１〜１００−３のみを「映像表示システム」ともいう。
【００５４】
実施形態１に係る映像表示システムによれば、複数の映像信号処理装置１００−１〜１００−３のうちの各１つの映像信号処理装置において、複数の映像信号合成回路１２−１〜１２−４のうちの少なくとも１つに、複数のソース装置１１０−１，１１０−２，１１０−５，１１０−９，１１０−１０のうちの少なくとも１つから少なくとも１つの第１の入力映像信号が入力される。各１つの映像信号処理装置において、複数の映像信号合成回路１２−１〜１２−４のうちの少なくとも１つは、複数の映像信号処理装置１００−１〜１００−３のうちの他のすべての映像信号処理装置に第１の合成映像信号を出力する。各１つの映像信号処理装置において、複数の映像信号合成回路１５−１〜１５−４のうちの少なくとも１つに、複数の映像信号処理装置１００−１〜１００−３のうちの他のすべての映像信号処理装置からそれぞれ出力された第１の合成映像信号が第２の入力映像信号として入力される。各１つの映像信号処理装置において、複数の映像信号合成回路１５−１〜１５−４のうちの少なくとも１つは、複数のディスプレイ装置１３０−１，１３０−５，１３０−９のうちの少なくとも１つに第２の合成映像信号を出力する。
【００５５】
これにより、多入力多出力のマルチウィンドウの映像表示システムを提供することができる。特に、複数の映像信号処理装置が互いに異なるソース装置に接続されているとき、複数の映像信号処理装置で同じ映像を生成して複数のディスプレイ装置に表示することができる。従って、例えば、複数の映像信号処理装置が地理的に異なる場所にあっても、同じ映像を共有することができる。
【００５６】
実施形態１に係る映像表示システムによれば、複数の映像信号処理装置１００−１〜１００−３のうちの各１つの映像信号処理装置において、１つの映像信号処理装置の操作信号入力回路１８は、１つの映像信号処理装置自体のための第１の操作信号と、他の映像信号処理装置のための第２の操作信号とを取得する。第１の操作信号は、１つの映像信号処理装置の映像信号合成回路１２−１〜１２−４によって生成される第１の合成映像信号の映像における少なくとも１つのウィンドウを制御するために使用される。第２の操作信号は、複数の映像信号処理装置１００−１〜１００−３のうちの少なくとも１つの他の映像信号処理装置の映像信号合成回路１２−１〜１２−４によって生成される第１の合成映像信号の映像における少なくとも１つのウィンドウを制御するために使用される。１つの映像信号処理装置の操作信号入力回路１８は、第１の操作信号を同じ映像信号処理装置の複数の映像信号合成回路１２−１〜１２−４に送り、第２の操作信号を他の映像信号処理装置に送る。複数の映像信号合成回路１２−１〜１２−４のうちの各１つの映像信号合成回路は、操作信号入力回路１８によって取得された第１の操作信号と、複数の映像信号処理装置１００−１〜１００−３のうちの少なくとも１つの他の映像信号処理装置から送られた第２の操作信号とに基づいて、少なくとも１つのウィンドウの位置、形状、又は寸法を制御して第１の合成映像信号を生成する。
【００５７】
これにより、複数の映像信号処理装置にそれぞれ入力された異なる操作信号に応じて同じ映像を生成して複数のディスプレイ装置に表示することができる。
【００５８】
［１−４．変形例］
以下、実施形態１に係る映像信号処理装置及び映像表示システムの変形例について説明する。
【００５９】
各映像信号処理装置は、ソース装置に接続される少なくとも１つの入力端子及び少なくとも１つの受信回路を備えてもよい。
【００６０】
各映像信号処理装置は、他の映像信号処理装置に接続される少なくとも１つの入力端子及び少なくとも１つの受信回路を備えてもよい。
【００６１】
各映像信号処理装置は、ディスプレイ装置に接続される少なくとも１つの出力端子及び少なくとも１つの送信回路を備えてもよい。
【００６２】
各映像信号処理装置は、ディスプレイ装置に接続される出力端子の個数に等しい個数の第１の映像信号合成回路及び第２の映像信号合成回路を備える。また、各映像信号処理装置は、他の映像信号処理装置に接続される出力端子及び送信回路として、第１の映像信号合成回路の個数に等しい個数の出力端子及び送信回路を備える。
【００６３】
各映像信号処理装置は、２つ以上のソース装置に接続されてもよい。
【００６４】
各映像信号処理装置は、２つ以上のディスプレイ装置に接続されてもよい。この場合、ディスプレイ装置の個数に等しい個数の第１の映像信号合成回路が第１の合成映像信号をそれぞれ生成し、第２の映像信号合成回路及び他の映像信号処理装置に送る。また、ディスプレイ装置の個数に等しい個数の第２の映像信号合成回路が、第２の合成映像信号をそれぞれ生成する。このとき、各映像信号処理装置には、他の１つの映像信号処理装置における複数の異なる第１の映像信号合成回路によって生成された複数の異なる第１の合成映像信号のすべてが入力される。各映像信号処理装置において、他の１つの映像信号処理装置から入力された複数の異なる第１の合成映像信号は、複数の異なる第２の映像信号合成回路に入力される。
【００６５】
ソース装置に接続される入力端子のうちの少なくとも１つと、他の映像信号処理装置に接続される入力端子のうちの少なくとも１つとは、一体化されていてもよい。映像信号処理装置は、入力端子から入力される映像信号に含まれる識別信号に基づいて、又は、ユーザ設定に基づいて、入力端子がソース装置に接続されているのか、それとも他の映像信号処理装置に接続されているのかを識別する。
【００６６】
各映像信号処理装置は、第２の操作信号を第１の合成映像信号とは別に他の映像信号処理装置に送ってもよい。
【００６７】
（実施形態２）
以下、図３を参照して、実施形態２に係る映像信号処理装置及び映像表示システムについて説明する。
【００６８】
［２−１．構成］
［２−１−１．映像信号処理装置の構成］
実施形態２に係る映像信号処理装置の構成は、実施形態１に係る映像信号処理装置と同様である。
【００６９】
［２−１−２．映像表示システムの構成］
図３は、実施形態２に係る映像表示システムの構成及び動作を示す概略図である。図３の映像表示システムは、映像信号処理装置１００−１〜１００−３、ソース装置１１０−１〜１１０−１２、外部制御装置１２０−１〜１２０−３、及びディスプレイ装置１３０−９〜１３０−１２を備える。
【００７０】
図３の映像信号処理装置１００−１〜１００−３及び外部制御装置１２０−１〜１２０−３は、図２の対応する装置と同様に構成される。ただし、入力端子２ａ〜２ｄに、他の映像信号処理装置の出力端子３ａ〜３ｄから出力された第１の合成映像信号に代えて、他の映像信号処理装置の出力端子４ａ〜４ｄから出力された第２の合成映像信号が入力される。図３のソース装置１１０−１〜１１０−１２のそれぞれは、図２のソース装置１１０−１等と同様に構成される。図３のディスプレイ装置１３０−９〜１３０−１２のそれぞれは、図２のディスプレイ装置１３０−１等と同様に構成される。
【００７１】
映像信号処理装置１００−１〜１００−３のそれぞれにおける入力端子１ａ〜１ｄのうちの少なくとも１つは、複数のソース装置のうちの少なくとも１つに接続される。図３の例では、映像信号処理装置１００−１の入力端子１ａ〜１ｄがソース装置１１０−１〜１１０−４にそれぞれ接続される。ソース装置１１０−１〜１１０−４は、映像Ａ１〜Ａ４の映像信号を映像信号処理装置１００−１の入力端子１ａ〜１ｄにそれぞれ入力する。また、映像信号処理装置１００−２の入力端子１ａ〜１ｄがソース装置１１０−５〜１１０−８にそれぞれ接続される。ソース装置１１０−５〜１１０−８は、映像Ｂ１〜Ｂ４の映像信号を映像信号処理装置１００−２の入力端子１ａ〜１ｄにそれぞれ入力する。また、映像信号処理装置１００−３の入力端子１ａ〜１ｄがソース装置１１０−９〜１１０−１２にそれぞれ接続される。ソース装置１１０−９〜１１０−１２は、映像Ｃ１〜Ｃ４の映像信号を映像信号処理装置１００−３の入力端子１ａ〜１ｄにそれぞれ入力する。
【００７２】
映像信号処理装置１００−１〜１００−３は、映像信号処理装置１００−１〜１００−３のうちの１つにおける出力端子４ａ〜４ｄを映像信号処理装置１００−１〜１００−３のうちのもう１つにおける入力端子２ａ〜２ｄに接続することにより、互いに接続される。図３の例では、映像信号処理装置１００−１における出力端子４ａ〜４ｄが映像信号処理装置１００−２における入力端子２ａ〜２ｄに接続される。また、映像信号処理装置１００−２における出力端子４ａ〜４ｄが映像信号処理装置１００−３における入力端子２ａ〜２ｄに接続される。
【００７３】
映像信号処理装置１００−１〜１００−３のうちの１つにおける出力端子４ａ〜４ｄは、複数のディスプレイ装置に接続される。図３の例では、映像信号処理装置１００−３における出力端子４ａ〜４ｄが、ディスプレイ装置１３０−９〜１３０−１２にそれぞれ接続される。
【００７４】
図３の映像表示システムにおいて、複数の映像信号処理装置１００−１〜１００−３は、同じディスプレイ装置１３０−９〜１３０−１２を見ることができる場所に設けられる。
【００７５】
［２−２．映像表示システムの動作］
映像信号処理装置１００−１のユーザは、外部制御装置１２０−１を用いて、映像信号処理装置１００−１のための操作信号を映像信号処理装置１００−１に入力する。映像信号処理装置１００−２のユーザは、外部制御装置１２０−２を用いて、映像信号処理装置１００−２のための操作信号を映像信号処理装置１００−２に入力する。映像信号処理装置１００−３のユーザは、外部制御装置１２０−３を用いて、映像信号処理装置１００−３のための操作信号を映像信号処理装置１００−３に入力する。映像信号処理装置１００−１〜１００−３の各ユーザは、他の映像信号処理装置のための操作信号を入力しない。
【００７６】
複数の映像信号処理装置１００−１〜１００−３のそれぞれにおいて、複数の映像信号合成回路１２−１〜１２−４のそれぞれに、複数のソース装置のうちの少なくとも１つから少なくとも１つの第１の入力映像信号が入力される。映像信号処理装置１００−１の映像信号合成回路１２−１〜１２−４のそれぞれは、映像Ａ１〜Ａ４のうちの少なくとも１つをそれぞれ含む少なくとも１つのウィンドウを表示領域の内部に配置した映像を示す第１の合成映像信号を生成する。映像信号処理装置１００−１の映像信号合成回路１２−１〜１２−４は、映像信号処理装置１００−１に入力された映像信号処理装置１００−１のための操作信号に応じて、各ウィンドウの位置、形状、寸法、回転角度、又は重なりの順序を制御する。映像信号処理装置１００−１において、映像信号合成回路１２−１〜１２−４は、第１の合成映像信号を映像信号合成回路１５−１〜１５−４にそれぞれ送る。映像信号処理装置１００−１の映像信号合成回路１５−１〜１５−４のそれぞれは、第１の合成映像信号をそのまま第２の合成映像信号として映像信号処理装置１００−２に送る。
【００７７】
映像信号処理装置１００−２の映像信号合成回路１２−１〜１２−４のそれぞれは、映像Ｂ１〜Ｂ４のうちの少なくとも１つをそれぞれ含む少なくとも１つのウィンドウを表示領域の内部に配置した映像を示す第１の合成映像信号を生成する。映像信号処理装置１００−２の映像信号合成回路１２−１〜１２−４は、映像信号処理装置１００−２に入力された映像信号処理装置１００−２のための操作信号に応じて、各ウィンドウの位置、形状、寸法、回転角度、又は重なりの順序を制御する。映像信号処理装置１００−２において、映像信号合成回路１２−１〜１２−４は、第１の合成映像信号を映像信号合成回路１５−１〜１５−４にそれぞれ送る。映像信号処理装置１００−２の映像信号合成回路１５−１〜１５−４のそれぞれは、第１の合成映像信号の映像と、映像信号処理装置１００−１から送られた第２の合成映像信号のうちの１つの映像とを互いに合成して映像信号処理装置１００−２の第２の合成映像信号を生成する。映像信号処理装置１００−２の映像信号合成回路１５−１〜１５−４のそれぞれは、第２の合成映像信号を映像信号処理装置１００−２に送る。
【００７８】
映像信号処理装置１００−３の映像信号合成回路１２−１〜１２−４のそれぞれは、映像Ｃ１〜Ｃ４のうちの少なくとも１つをそれぞれ含む少なくとも１つのウィンドウを表示領域の内部に配置した映像を示す第１の合成映像信号を生成する。映像信号処理装置１００−３の映像信号合成回路１２−１〜１２−４は、映像信号処理装置１００−３に入力された映像信号処理装置１００−３のための操作信号に応じて、各ウィンドウの位置、形状、寸法、回転角度、又は重なりの順序を制御する。映像信号処理装置１００−３において、映像信号合成回路１２−１〜１２−４は、第１の合成映像信号を映像信号合成回路１５−１〜１５−４にそれぞれ送る。映像信号処理装置１００−３の映像信号合成回路１５−１〜１５−４のそれぞれは、第１の合成映像信号の映像と、映像信号処理装置１００−２から送られた第２の合成映像信号のうちの１つの映像とを互いに合成して映像信号処理装置１００−３の第２の合成映像信号を生成する。映像信号処理装置１００−３の映像信号合成回路１５−１〜１５−４のそれぞれは、第２の合成映像信号をディスプレイ装置１３０−９〜１３０−１２に送る。
【００７９】
このように、複数の映像信号処理装置１００−２〜１００−３のそれぞれにおいて、複数の映像信号合成回路１５−１〜１５−４のそれぞれに、他の１つの映像信号処理装置１００−１〜１００−２から出力された１つの第２の合成映像信号が第２の入力映像信号として入力される。映像信号処理装置１００−３において、複数の映像信号合成回路１５−１〜１５−４は、複数のディスプレイ装置１３０−９〜１３０−１２に第２の合成映像信号をそれぞれ出力する。
【００８０】
［２−３．効果等］
実施形態２に係る映像表示システムによれば、複数の映像信号処理装置１００−１〜１００−３のうちの各１つの映像信号処理装置において、複数の映像信号合成回路１２−１〜１２−４のうちの各１つの映像信号合成回路に、複数のソース装置１１０−１〜１１０−１２のうちの少なくとも１つから少なくとも１つの第１の入力映像信号が入力される。複数の映像信号処理装置１００−１〜１００−３のうちの映像信号処理装置１００−１（「第１の映像信号処理装置」ともいう）において、複数の映像信号合成回路１５−１〜１５−４は、複数のディスプレイ装置１３０−９〜１３０−１２に第２の合成映像信号をそれぞれ出力する。複数の映像信号処理装置１００−１〜１００−３のうちの、映像信号処理装置１００−１以外の各１つの映像信号処理装置において、複数の映像信号合成回路１５−１〜１５−４は、複数の映像信号処理装置１００−１〜１００−３のうちの他の１つの映像信号処理装置に第２の合成映像信号をそれぞれ出力する。
【００８１】
これにより、実施形態２に係る映像信号処理装置及び映像表示システムは、複数の映像信号処理装置をカスケード接続することにより、ソース映像の個数及び表示画面の個数の任意の増加に対処できる。特に、複数の映像信号処理装置が互いに異なるソース装置に接続されているとき、すべてのソース装置から入力された映像信号を合成して複数のディスプレイ装置に表示することができる。
【００８２】
［２−４．変形例］
映像表示システムは、複数のディスプレイ装置に代えて、１つのみのディスプレイ装置を含んでもよい。
【００８３】
（実施形態３）
以下、図４〜図５を参照して、実施形態３に係る映像信号処理装置及び映像表示システムについて説明する。
【００８４】
［３−１．構成］
［３−１−１．映像信号処理装置の構成］
図４は、実施形態３に係る映像信号処理装置１００Ａの構成を示すブロック図である。映像信号処理装置１００Ａは、図１の映像信号処理装置１００の構成要素に加えて、送信回路１９−１〜１９−４及び出力端子５ａ〜５ｄを備える。本明細書では、出力端子５ａ〜５ｄを「第５の端子」ともいう。
【００８５】
送信回路１９−１〜１９−４のそれぞれは、受信回路１１−１〜１１−４のうちの１つから入力された映像信号を、他の映像信号処理装置への送信のために変換し、出力端子５ａ〜５ｄのうちの１つから他の映像信号処理装置へ出力する。各出力端子５ａ〜５ｄと他の映像信号処理装置とは、ＨＤＭＩ、ＳＤＩ、ＨＤ−ｂａｓｅＴなどのインターフェースによって互いに接続される。
【００８６】
［３−１−２．映像表示システムの構成］
図５は、実施形態３に係る映像表示システムの構成及び動作を示す概略図である。図５の映像表示システムは、映像信号処理装置１００Ａ−１〜１００Ａ−３、ソース装置１１０−１〜１１０−４、外部制御装置１２０−１〜１２０−３、及びディスプレイ装置１３０−１〜１３０−１２を備える。
【００８７】
図５の映像信号処理装置１００Ａ−１〜１００Ａ−３は、図４の映像信号処理装置１００Ａと同様に構成される。図５では、図４の端子２ａ〜２ｄ，３ａ〜３ｄの図示を省略している。映像信号処理装置１００Ａ−２〜１００Ａ−３の入力端子１ａ〜１ｄには、ソース装置から出力された映像信号に代えて、他の映像信号処理装置１００Ａ−１の〜１００Ａ−２の出力端子５ａ〜５ｄから出力された映像信号が入力される。図５の外部制御装置１２０−１〜１２０−３は、図２の外部制御装置１２０−１〜１２０−３と同様に構成される。図５のソース装置１１０−１〜１１０−４のそれぞれは、図２のソース装置１１０−１等と同様に構成される。図５のディスプレイ装置１３０−１〜１３０−１２のそれぞれは、図２のディスプレイ装置１３０−１等と同様に構成される。
【００８８】
複数の映像信号処理装置１００Ａ−１〜１００Ａ−３は、映像信号処理装置１００Ａ−１〜１００Ａ−３のうちの１つにおける出力端子５ａ〜５ｄを映像信号処理装置１００Ａ−１〜１００Ａ−３のうちのもう１つにおける入力端子１ａ〜１ｄに接続することにより、互いに接続される。図５の例では、映像信号処理装置１００Ａ−１における出力端子５ａ〜５ｄが映像信号処理装置１００Ａ−２における入力端子２ａ〜２ｄに接続される。また、映像信号処理装置１００Ａ−２における出力端子５ａ〜５ｄが映像信号処理装置１００Ａ−３における入力端子２ａ〜２ｄに接続される。
【００８９】
複数の映像信号処理装置１００Ａ−１〜１００Ａ−３のうちの１つにおける入力端子１ａ〜１ｄは、複数のソース装置に接続される。図５の例では、映像信号処理装置１００Ａ−１における入力端子１ａ〜１ｄが、ソース装置１１０−１〜１１０−４にそれぞれ接続される。
【００９０】
映像信号処理装置１００Ａ−１〜１００Ａ−３のそれぞれにおける出力端子４ａ〜４ｄのうちの少なくとも１つは、複数のディスプレイ装置のうちの少なくとも１つに接続される。図５の例では、映像信号処理装置１００Ａ−１における出力端子４ａ〜４ｄが、ディスプレイ装置１３０−１〜１３０−４にそれぞれ接続される。また、映像信号処理装置１００Ａ−２における出力端子４ａ〜４ｄが、ディスプレイ装置１３０−５〜１３０−８にそれぞれ接続される。また、映像信号処理装置１００Ａ−３における出力端子４ａ〜４ｄが、ディスプレイ装置１３０−９〜１３０−１２にそれぞれ接続される。
【００９１】
図５の映像表示システムにおいて、ディスプレイ装置１３０−５〜１３０−８は、ディスプレイ装置１３０−１〜１３０−４とは地理的に異なる場所に設けられてもよく、ディスプレイ装置１３０−９〜１３０−１２は、ディスプレイ装置１３０−１〜１３０−８とは地理的に異なる場所に設けられてもよい。この場合、映像信号処理装置１００Ａ−１及び外部制御装置１２０−１は、ディスプレイ装置１３０−１〜１３０−４の場所に設けられてもよい。また、映像信号処理装置１００Ａ−２及び外部制御装置１２０−２は、ディスプレイ装置１３０−５−１３０−８の場所に設けられてもよい。また、映像信号処理装置１００Ａ−３及び外部制御装置１２０−３は、ディスプレイ装置１３０−９〜１３０−１２の場所に設けられてもよい。この場合、映像信号処理装置１００Ａ−１のユーザ、映像信号処理装置１００Ａ−２のユーザ、及び映像信号処理装置１００Ａ−３のユーザは、地理的に異なる場所に存在する。
【００９２】
［３−２．映像表示システムの動作］
映像信号処理装置１００Ａ−１のユーザは、外部制御装置１２０−１を用いて、映像信号処理装置１００Ａ−１のための操作信号を映像信号処理装置１００Ａ−１に入力する。映像信号処理装置１００Ａ−２のユーザは、外部制御装置１２０−２を用いて、映像信号処理装置１００Ａ−２のための操作信号を映像信号処理装置１００Ａ−２に入力する。映像信号処理装置１００Ａ−３のユーザは、外部制御装置１２０−３を用いて、映像信号処理装置１００Ａ−３のための操作信号を映像信号処理装置１００Ａ−３に入力する。映像信号処理装置１００Ａ−１〜１００Ａ−３の各ユーザは、他の映像信号処理装置のための操作信号を入力しない。
【００９３】
映像信号処理装置１００Ａ−１の映像信号合成回路１２−１〜１２−４のそれぞれは、映像Ａ１〜Ａ４のうちの少なくとも１つをそれぞれ含む少なくとも１つのウィンドウを表示領域の内部に配置した映像を示す第１の合成映像信号を生成する。映像信号処理装置１００Ａ−１の映像信号合成回路１２−１〜１２−４は、映像信号処理装置１００Ａ−１に入力された映像信号処理装置１００Ａ−１のための操作信号に応じて、各ウィンドウの位置、形状、寸法、回転角度、又は重なりの順序を制御する。映像信号処理装置１００Ａ−１において、映像信号合成回路１２−１〜１２−４は、第１の合成映像信号を映像信号合成回路１５−１〜１５−４にそれぞれ送る。映像信号処理装置１００Ａ−１の映像信号合成回路１５−１〜１５−４のそれぞれは、第１の合成映像信号をそのまま第２の合成映像信号としてディスプレイ装置１３０−１〜１３０−４に出力する。さらに、映像信号処理装置１００Ａ−１は、入力端子１ａ〜１ｄから入力された映像Ａ１〜Ａ４を示す映像信号をそのまま出力端子５ａ〜５ｄから出力する。
【００９４】
映像信号処理装置１００Ａ−２の映像信号合成回路１２−１〜１２−４のそれぞれは、映像信号処理装置１００Ａ−１から送られた映像Ａ１〜Ａ４のうちの少なくとも１つをそれぞれ含む少なくとも１つのウィンドウを表示領域の内部に配置した映像を示す第１の合成映像信号を生成する。映像信号処理装置１００Ａ−２の映像信号合成回路１２−１〜１２−４は、映像信号処理装置１００Ａ−２に入力された映像信号処理装置１００Ａ−２のための操作信号に応じて、各ウィンドウの位置、形状、寸法、回転角度、又は重なりの順序を制御する。映像信号処理装置１００Ａ−２において、映像信号合成回路１２−１〜１２−４は、第１の合成映像信号を映像信号合成回路１５−１〜１５−４にそれぞれ送る。映像信号処理装置１００Ａ−２の映像信号合成回路１５−１〜１５−４のそれぞれは、第１の合成映像信号をそのまま第２の合成映像信号としてディスプレイ装置１３０−５〜１３０−８に出力する。さらに、映像信号処理装置１００Ａ−２は、入力端子１ａ〜１ｄから入力された映像Ａ１〜Ａ４を示す映像信号をそのまま出力端子５ａ〜５ｄから出力する。
【００９５】
映像信号処理装置１００Ａ−３の映像信号合成回路１２−１〜１２−４のそれぞれは、映像信号処理装置１００Ａ−２から送られた映像Ａ１〜Ａ４のうちの少なくとも１つをそれぞれ含む少なくとも１つのウィンドウを表示領域の内部に配置した映像を示す第１の合成映像信号を生成する。映像信号処理装置１００Ａ−３の映像信号合成回路１２−１〜１２−４は、映像信号処理装置１００Ａ−３に入力された映像信号処理装置１００Ａ−３のための操作信号に応じて、各ウィンドウの位置、形状、寸法、回転角度、又は重なりの順序を制御する。映像信号処理装置１００Ａ−３において、映像信号合成回路１２−１〜１２−４は、第１の合成映像信号を映像信号合成回路１５−１〜１５−４にそれぞれ送る。映像信号処理装置１００Ａ−３の映像信号合成回路１５−１〜１５−４のそれぞれは、第１の合成映像信号をそのまま第２の合成映像信号としてディスプレイ装置１３０−９〜１３０−１２に出力する。
【００９６】
図６は、実施形態３の第１の変形例に係る映像信号処理装置１００Ｂの構成を示すブロック図である。映像信号処理装置１００Ｂは、図４の映像信号処理装置１００Ａの送信回路１４−１〜１４−４、送信回路１９−１〜１９−４、及び出力端子５ａ〜５ｄに代えて、送信回路１４Ｂ−１〜１４Ｂ−４を備える。送信回路１４Ｂ−１〜１４Ｂ−４のそれぞれは、第１の合成映像信号又は第１の入力映像信号を、他の映像信号処理装置への送信のために変換し、出力端子３ａ〜３ｄのうちの１つから他の映像信号処理装置へ出力する。図６の映像信号処理装置１００Ｂは、余分な送信回路及び出力端子を追加することなく、図４の映像信号処理装置１００Ａと同様に動作することができる。
【００９７】
図７は、実施形態３の第２の変形例に係る映像信号処理装置１００Ｃの構成を示すブロック図である。映像信号処理装置１００Ｃは、図４の映像信号処理装置１００Ａの受信回路１３−１〜１３−４、操作信号分配回路１７、送信回路１９−１〜１９−４、及び出力端子５ａ〜５ｄに代えて、送受信回路１３Ｃ−１〜１３Ｃ−４及び操作信号分配回路１７Ｃを備える。送受信回路１３Ｃ−１〜１３Ｃ−４は、図４の受信回路１３−１〜１３−４の機能及び送信回路１９−１〜１９−４の機能の両方をそれぞれ有し、ユーザ設定に応じてこれらの機能を切り換える。ユーザ設定は、例えば、外部制御装置から操作信号入力回路１８及び操作信号分配回路１７Ｃを介して送受信回路１３Ｃ−１〜１３Ｃ−４に与えられる。ユーザ設定は、映像信号処理装置１００Ｃに設けられたハードウェアスイッチによって送受信回路１３Ｃ−１〜１３Ｃ−４に与えられてもよい。図７の映像信号処理装置１００Ｃは、余分な端子を追加することなく、図４の映像信号処理装置１００Ａと同様に動作することができる。
【００９８】
図８は、実施形態３の第３の変形例に係る映像信号処理装置１００Ｄの構成を示すブロック図である。映像信号処理装置１００Ｄは、図４の映像信号処理装置１００Ａの受信回路１３−１〜１３−４、送信回路１４−１〜１４−４、出力端子３ａ〜３ｄ、操作信号分配回路１７、送信回路１９−１〜１９−４、及び出力端子５ａ〜５ｄに代えて、送受信回路１３Ｄ−１〜１３Ｄ−４及び操作信号分配回路１７Ｄを備える。送受信回路１３Ｃ−１〜１３Ｃ−４は、図４の受信回路１３−１〜１３−４の機能、送信回路１４−１〜１４−４の機能、及び送信回路１９−１〜１９−４の機能の両方をそれぞれ有し、ユーザ設定に応じてこれらの機能を切り換える。図８の映像信号処理装置１００Ｄは、端子の個数を図４、図６，及び図７の場合よりも減らしながら、図４の映像信号処理装置１００Ａと同様に動作することができる。
【００９９】
実施形態３に係る映像信号処理装置１００Ａ〜１００Ｄは、図５に示す映像表示システムに使用可能であり、さらに、図２及び図３に示す映像表示システムにも使用可能である。
【０１００】
［３−３．効果等］
実施形態３に係る映像表示システムによれば、複数の映像信号処理装置１００Ａ−１〜１００Ａ−３のうちの各１つの映像信号処理装置は、入力される複数の第１の入力映像信号を出力する。複数の映像信号処理装置１００Ａ−１〜１００Ａ−３のうちの複数の映像信号処理装置１００Ａ−１（「第２の映像信号処理装置」ともいう）において、複数の映像信号合成回路１２−１〜１２−４のうちの少なくとも１つに、複数のソース装置から複数の第１の入力映像信号が入力される。複数の映像信号処理装置１００Ａ−１〜１００Ａ−３のうちの、映像信号処理装置１００Ａ−１以外の各１つの映像信号処理装置において、複数の映像信号合成回路１２−１〜１２−４のうちの少なくとも１つに、複数の映像信号処理装置１００Ａ−１〜１００Ａ−３のうちの他の１つの映像信号処理装置から出力された複数の第１の入力映像信号が入力される。複数の映像信号処理装置１００Ａ−１〜１００Ａ−３のうちの各１つの映像信号処理装置において、複数の映像信号合成回路１５−１〜１５−４のうちの少なくとも１つは、複数のディスプレイ装置のうちの少なくとも１つに第２の合成映像信号を出力する。
【０１０１】
これにより、実施形態３に係る映像信号処理装置及び映像表示システムは、複数の映像信号処理装置をカスケード接続することにより、ソース映像の個数及び表示画面の個数の任意の増加に対処できる。特に、複数の映像信号処理装置のうちの１つのみがソース装置に接続されているとき、ソース装置から入力された映像信号を複数の映像信号処理装置で共用して異なる第２の合成映像信号を生成することができる。
【０１０２】
実施形態３に係る映像信号処理装置１００Ａは、複数の第１の入力映像信号が出力される複数の第５の端子５ａ〜５ｄを備える。
【０１０３】
実施形態３に係る映像信号処理装置１００Ｂは、複数の第１の入力映像信号が入力される複数の第１の端子１ａ〜１ｄと、複数の第２の入力映像信号が入力される複数の第２の端子２ａ〜２ｄと、複数の第１の合成映像信号又は複数の第１の入力映像信号が出力される複数の第３の端子３ａ〜３ｄと、複数の第２の合成映像信号が出力される複数の第４の端子４ａ〜４ｄとを備える。
【０１０４】
実施形態３に係る映像信号処理装置１００Ｃは、複数の第１の入力映像信号が入力される複数の第１の端子１ａ〜１ｄと、複数の第２の入力映像信号が入力されるか、又は、複数の第１の入力映像信号が出力される複数の第２の端子２ａ〜２ｄと、複数の第１の合成映像信号が出力される複数の第３の端子３ａ〜３ｄと、複数の第２の合成映像信号が出力される複数の第４の端子４ａ〜４ｄとを備える。
【０１０５】
実施形態３に係る映像信号処理装置１００Ｄは、複数の第１の入力映像信号が入力される複数の第１の端子１ａ〜１ｄと、複数の第２の入力映像信号が入力されるか、又は、複数の第１の入力映像信号もしくは複数の第１の合成映像信号が出力される複数の第２の端子２ａ〜２ｄと、複数の第２の合成映像信号が出力される複数の第３の端子４ａ〜４ｄとを備える。
【０１０６】
これにより、第３の実施形態に係る映像表示システムを高い自由度で構成することができる。
【０１０７】
［３−４．変形例］
各映像信号処理装置は、複数のディスプレイ装置に代えて、１つのディスプレイ装置に接続されていてもよい。
【０１０８】
（他の実施形態）
以上のように、本出願において開示する技術の例示として、実施形態１〜３を説明した。しかしながら、本開示における技術は、これに限定されず、適宜、変更、置き換え、付加、省略などを行った実施形態にも適用可能である。また、上記実施形態１〜３で説明した各構成要素を組み合わせて、新たな実施形態とすることも可能である。
【０１０９】
映像信号処理装置に入力される映像信号は、無圧縮（ベースバンド信号）であってもよく、圧縮されていてもよい。
【０１１０】
外部制御装置を映像信号処理装置の操作信号入力回路に一体化し、ユーザが操作信号を映像信号処理装置に直接に入力してもよい。
【０１１１】
映像表示システムは、外部制御装置を映像信号処理装置ごとに個別に設けるのではなく、複数の映像信号処理装置に共通の１つの外部制御装置を備えてもよい。
【０１１２】
操作信号は、ウィンドウに含まれる映像の再生の停止及び再開など、ソース装置の制御するために使用されてもよい。この場合、操作信号入力回路は、操作信号をソース装置に送信する。
【０１１３】
以上のように、本開示における技術の例示として、実施形態を説明した。そのために、添付図面及び詳細な説明を提供した。
【０１１４】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１５】
また、上述の実施形態は、本開示における技術を例示するためのものであるから、特許請求の範囲またはその均等の範囲において種々の変更、置き換え、付加、省略などを行うことができる。
【産業上の利用可能性】
【０１１６】
本開示は、複数の映像信号処理装置と、複数のソース装置と、少なくとも１つのディスプレイ装置とを含む映像表示システムに適用可能である。
【符号の説明】
【０１１７】
１ａ〜１ｄ…入力端子、
２ａ〜２ｄ…入力端子、
３ａ〜３ｄ…出力端子、
４ａ〜４ｄ…出力端子、
５ａ〜５ｄ…出力端子、
１１−１〜１１−４…受信回路、
１２−１〜１２−４…映像信号合成回路、
１３−１〜１３−４…受信回路、
１３Ｃ−１〜１３Ｃ−４，１３Ｄ−１〜１３Ｄ−４…送受信回路、
１４−１〜１４−４，１４Ｂ−１〜１４Ｂ−４…送信回路、
１５−１〜１５−４…映像信号合成回路、
１６−１〜１６−４…送信回路、
１７，１７Ｃ，１７Ｄ…操作信号分配回路、
１８…操作信号入力回路、
１９−１〜１９−４…送信回路、
１００，１００−１〜１００−３，１００Ａ，１００Ａ−１〜１００Ａ−３，１００Ｂ〜１００Ｄ…映像信号処理装置、
１１０−１〜１１０−１２…ソース装置、
１２０−１〜１２０−３…外部制御装置、
１３０−１〜１３０−１２…ディスプレイ装置。
【図１】
2018064183.tif 000003
【図２】
2018064183.tif 000004
【図３】
2018064183.tif 000005
【図４】
2018064183.tif 000006
【図５】
2018064183.tif 000007
【図６】
2018064183.tif 000008
【図７】
2018064183.tif 000009
【図８】
2018064183.tif 000010